(57)【要約】【課題】  親ドアと子ドアが継手を介して互いに折畳み可能に連結された折戸であって、折戸を押し開いて手を離した場合に、その位置で一時的に停止するようにしたフリーストッパー装置の提供。【解決手段】  親ドア上端にはツーウェイクラッチ１５を取付け、吊車９から延びる吊軸１０にはピニオン１２とギア１３を回転可能に軸支し、該ギア１３は上記ツーウェイクラッチ１５の回転軸に取り付けたギア１４と噛み合わせ、ピニオン１２は上レール側に沿設したラック１６と噛み合わせている。【選択図】    図４
2008082137.tif 000002
【特許請求の範囲】
【請求項１】
親ドアと子ドアが継手を介して互いに折畳み可能に連結され、子ドアは枠体の吊元側に軸支されると共に、入口上部の上レールに遊嵌して移動する吊車を親ドアの上方に設けた折戸であって、該折戸を押し開くと共に手を離しても自閉装置の作動で閉鎖することなくその位置で一時停止するように動作するフリーストッパー装置において、親ドア上端にはツーウェイクラッチを取付け、吊車から延びる吊軸にはピニオンとギアを回転可能に軸支し、該ギアは上記ツーウェイクラッチの回転軸に取り付けたギアと噛み合わせ、ピニオンは上レール側に沿設したラックと噛み合わせたことを特徴とする折戸のフリーストッパー装置。
【請求項２】
親ドアと子ドアが継手を介して互いに折畳み可能に連結され、子ドアは枠体の吊元側に軸支されると共に、入口上部の上レールに遊嵌して移動するスライダーを親ドアの上方に設けた折戸であって、該折戸を押し開くと共に手を離しても自閉装置の作動で閉鎖することなくその位置で一時停止するように動作するフリーストッパー装置において、親ドア上端にはツーウェイクラッチを取付け、スライダーを設けた軸にはピニオンとギアを回転可能に軸支し、該ギアは上記ツーウェイクラッチの回転軸に取り付けたギアと噛み合わせ、ピニオンは上レール側に沿設したラックと噛み合わせたことを特徴とする折戸のフリーストッパー装置。
【発明の詳細な説明】
【技術分野】
【０００１】
本発明は互いに連結した親ドアと子ドアを屈曲して開閉することが出来る折戸であって、任意の位置で停止することが出来る折戸のフリーストッパー装置に関するものである。
【背景技術】
【０００２】
図８は従来の一般的な折戸の開閉動作を示し、該折戸は親ドア(イ)と子ドア(ロ)から成って互いに折畳み出来るように間には蝶番などの継手が設けられている。そして子ドア(ロ)は吊元側に設けている軸(ハ)に回転自在に取付けられ、親ドア(イ)の上端に設けているスライダーが上レールに沿って移動することが出来、その為に同図に示すような軌跡を伴って開閉することが出来る。
【０００３】
出入り口に装着されて開閉する折戸は開き戸に比較して開閉操作が容易である。特に出入り口の幅が大きな場合、開き戸を装着するならば開き戸の先端持ち手を握って開閉する場合、吊元の軸を中心とする回転半径が大きくなって操作がし難い。これに対して折戸であれば、同図に示すように上レールに沿っての移動である為に比較的操作が簡単となる。
【０００４】
ところで、該折戸の用途は限定しないが、トイレの入口ドアとして利用される場合が多い。折戸は上記のように開閉操作が便利であると共に、折畳んだ場合の開口が大きくなる為に、車椅子に乗った身体障害者にとっては特に便利である。そして、折戸には自閉装置を備えている場合も多く、押し開いた折戸は自動的に閉じる為に便利である反面、車椅子に乗って折戸を押し開く場合、常に閉じようとする力が作用する為に不便を感じることも多い。
【０００５】
特に、重症の身体障害者であれば、車椅子に乗っている場合に限らず、杖を所持している場合であっても、持ち手を握って押し開いても閉じようとする折戸が障害となって、出入りがしにくいといった問題がある。ところで、車椅子の使用者に比較的便利とされる折れ戸がある。これは特開２０００−２９１３４７号に係る「折れ戸」であり、ある程度扉を開放させると、後は自動的に全開し、また所定位置まで閉鎖すると、後は自動的に全閉する使用勝手に優れた折れ戸である。
【０００６】
この折れ戸は 開放側端部が回動自在に支持された第１扉と、第１扉に開放側端部が折り畳み自在に連結され、上部が固定部材に対し開閉方向にスライド自在に支持された第２扉よりなる折れ戸であって、第２扉の上部に、第２扉と共に回動かつ開閉方向にスライド自在となした第２回動軸が設けられる一方、折れ戸の開閉方向所定位置から、折れ戸が自動的に開閉方向に移動するよう第２回動軸を回動させる付勢手段を、第２扉と共に移動する位置に設けている。
【０００７】
このように、ある程度の開放位置から全開し、又ある程度の閉鎖位置から全閉するように機能する折れ戸は、使い勝手が便利なようにも思われるが慣れない人にとっては不安である。すなわち、持ち手を握っている手が急に引き戸の開閉動作に引かれることになり、杖を所持している身体障害者であれば転倒することもある。自閉装置のみを備えた従来の折れ戸よりも一段と不安感や時には恐怖感を与える。
【特許文献１】特開２０００−２９１３４７号に係る「折れ戸」
【発明の開示】
【発明が解決しようとする課題】
【０００８】
このように、従来の折戸装置には上記のごとき問題がある。本発明が解決しようとする課題はこれら問題点であり、手で押し開いた折戸が任意の開き位置で一時的に停止することが出来るフリーストッパー装置を提供する。
【課題を解決するための手段】
【０００９】
折戸は親ドアと子ドアとで構成し、子ドアは吊元側に継手を介して取付けられ、親ドアは継手を介して子ドアと折畳み可能に連結されている。すなわち、折戸としての基本構造は従来と同じである。そして、親ドアの上端にはスライダーが上方へ突出して設けられ、このスライダーは入口上部の上レールにスライド可能に遊嵌している。ここで、上記スライダーとして親ドアを吊設する為の吊車を取付ける場合もある。
【００１０】
従って、親ドアは上レールに沿って旋回しながら移動し、子ドアは吊元側継手を中心として回転することで折戸は折畳まれる。そして、本発明では押し開く際に握ったハンドルを離すならばその位置で停止することが出来、自閉装置が働いて独りでに閉じることがないようにフリーストッパー装置を備えている。本発明において用いるフリーストッパー装置にはツーウェイクラッチを親ドアの上端部に取付け、ツーウェイクラッチの軸にはギアを取付け、該ギアはピニオンと噛み合わせ、ピニオンは上レール側に沿設したラックと噛み合わせている。
【００１１】
上記ツーウェイクラッチとは、時計方向への回転がフリーであると共に反時計方向への回転がロックされる。ただし、一定以上のトルクを加えるならばロックが解除されて反時計方向の回転が可能となる。同じく、反時計方向への回転がフリーであると共に時計方向への回転がロックされる。ただし、一定以上のトルクを加えるならばロックが解除されて時計方向の回転が可能となるように構成している。
【発明の効果】
【００１２】
本発明のフリーストッパー装置を備えた折戸は、手で押し開くことで折戸は開かれるが、手を離すと同時にその位置で停止する。そして、開口幅が小さい場合にはさらに親ドアを押し開くことが出来、再び手を離すことで停止する。ある程度の開口になったところで入口を通過し、通過後は停止している折戸に力を加えることで親ドアが移動してロックが解除され、該折戸は自閉装置によって独りで閉じることが出来る。従って、車椅子に乗っている身体障害者や杖を所持している身体障害者であっても、手で押し開くことで折戸は開き、手を離しても閉じない為に出入りがしやすく、安心して入口から入ることが出来る。そして、一旦停止した折戸は僅かな力を加えることで、ロックが解除されて独りで閉じることが出来る。
【実施例】
【００１３】
図１は本発明の折戸を示す正面図であり、該折戸は親ドア１と子ドア２から成って互いに折畳み出来るように間には継手が設けられている。そして子ドア２は吊元側に設けている軸に回転自在に取付けられ、親ドア１の上端に設けているスライダーは上レールに沿って移動することが出来、その為に該親ドア１と子ドア２が互いに回動して間口を開閉することが出来る。そして、折戸には自閉装置が備わっている為に、開いた折戸は自動的に閉じる。自閉装置の形態は色々あるが、最もシンプルな手段としては、子ドアを軸支している軸にコイルバネを取付けてバネ力を付勢することで可能となる。
【００１４】
親ドア１の上端には本発明に係るフリーストッパー装置３が取付けられ、該折戸を開いて手を離しても任意の位置で一時的に停止する。すなわち、自閉装置が作動して閉じることがないようにしている。図２には図１の横断面拡大図を表しているように、折戸は点線で示すように吊元側へ折畳まれて入口は開口する。親ドア１の正面側(外側)にはハンドル４ａが戸先側に取付けられ、背面側(内側)の継手付近にはハンドル４ｂが取付けられている。
【００１５】
そこで、外側から折戸を開く際にはハンドル４ａを引くことで折畳まれ、内側にいる場合にはハンドル４ｂを手前に引くことで折戸は折畳まれる。そして内側にはロックツマミ５が取付けられている。ところで、折戸は吊元側に設けている軸６を中心に子ドア２が回転し、それに伴って親ドア１がスライダーを中心に旋回しながら上レールに沿って移動する。
【００１６】
図３は図２のＡ−Ａ断面拡大図であり、図４は本発明のフリーストッパー装置の詳細図を表している。入口の枠体を構成する上桟７に取着された上レール８には吊車９が遊嵌して移動することが出来、吊車９から下方へ吊軸１０が延び、該吊軸１０は親ドア１の上端内側に固定したブラケット１１にその下端が連結・固定されている。従って、親ドア１は上記吊車９を介して上レール８に吊設されることに成る。
【００１７】
そして吊軸１０にはピニオン１２及びギア１３が軸支されて回転し、ピニオン１２は上桟７に取着されて上レール８に沿って延びているラック１６と噛み合っている。ここで、ピニオン１２とギア１３は連結部１７にて繋がれ、共に回転することが出来る。
【００１８】
親ドア１の上端にはツーウェイクラッチ１５が取付けられ、このツーウェイクラッチ１５の回転軸にはギア１４が取付けられ、このギア１４は吊軸１０に軸支されているギア１３と噛み合っている。従って、ツーウェイクラッチ１５はギア１４，１３を介してピニオン１２と連動する。
【００１９】
折戸が開く場合には、親ドア１は吊軸１０を中心に旋回すると共に上レール８に沿って吊車９と共に移動する。吊車９が上レール８に沿って移動する際には、ラック１６と噛み合っているピニオン１２は回転し、該回転はギア１３及びギア１４を回転させる。そして、ツーウェイクラッチ１５の回転軸が回転する。そこで、親ドア１を押し開くハンドル４ａから手を離すならば、自閉装置が作動して折戸は閉じようとする。
【００２０】
しかし、上記ツーウェイクラッチ１５が働いて親ドア１の戻り移動を阻止し、その結果、折戸は閉じることなくその位置で一時停止する。再び親ドア１のハンドル４ａを押すならば折戸は開くことが出来る。そして、入口を通過して内側へ入ったところで、内側のハンドル４ｂを押すならばツーウェイクラッチ１５のロックが解除されて折戸は閉じることが出来る。
【００２１】
図５はピニオン１２が上桟７に取付けられているラック１６に噛み合っている場合の詳細図である。本発明はピニオン１２の回転をツーウェイクラッチ１５によって制御することで、親ドア１の上レール８に沿っての移動を規制するように構成している。
【００２２】
図６はツーウェイクラッチ１５の動作を表している。
(１)時計回りは許容されるが、反時計回りはロックされている。例えば、折戸を開く場合、親ドア１の移動に伴う回転方向が時計回りとすれば、親ドア１は旋回しながら上レール８に沿って移動できる。
(２)折戸を手である程度押し開いたところでハンドル４ａから手を離すならば、自閉装置によって折戸は閉じようとする。この場合、ツーウェイクラッチ１５は反時計方向に回転しようとするがロックされ、該折戸は閉じることなくその位置で一時停止する。ただし、反時計方向により大きなトルクを加える場合にはロックが解除されて回転することが出来る。すなわち、内側のハンドル４ｂを押すならば親ドア１は閉じる方向へ移動し、ツーウェイクラッチ１５が解除され、折戸は閉じることが出来る。
(３)は反時計方向への回転が許容されている場合であり、親ドア１は逆方へ移動して自閉装置の働きで折戸は閉じられる。
(４)一旦、閉じた折戸は開く方向への時計回りの回転がロックされる。しかし、外側のハンドル４ａを手前に引くことで親ドア１が移動してロックが解除され、折戸は手で押し開かれる。
【００２３】
ところで、本発明ではツーウェイクラッチ１５の構造は特に限定しないが、例えば、内輪と外輪との間に複数のローラが介在し、内輪の外周は多角形を形成した構造とすることが出来る。従って、外輪との間に挟まれているローラが内輪のコーナー部に当ってロックされ、しかし大きなトルクを付勢するならばコーナーを越えて回転することが出来る。
【００２４】
図７は本発明のフリーストッパー装置を表す他の実施例であり、吊車９を備えていないが、その他の構造は図４の場合と共通している。ブラケット１１から起立した軸１８にはピニオン１２とギア１３が回転自在に軸支され、ピニオン１２とギア１３は連結部１７にて繋がれている。勿論、ピニオン１２は上レール１９に取付けられて、該上レール１９に沿って延びているラック１６と噛み合っている。
【００２５】
そして、親ドア１の上端にはツーウェイクラッチ１５が取着され、該ツーウェイクラッチ１５の回転軸に取付けられたギア１４は軸１８に軸支されているギア１３と噛み合っている。上記上レール１９は吊車９を遊嵌しない為に、高さ寸法は小さくなっているが、スライダーとして機能する上記連結部１７は上レール１９にガイドされて移動する。すなわち、ピニオン１２がラック１６から外れないようにガイドされている。
【００２６】
折戸の開閉動作に関しては前記実施例で説明した場合と同じである。このように、フリーストッパー装置を備えることで、車椅子の乗った身体障害者や杖を所持している身体障害者は安心して折戸の開閉操作を行うことが出来る。
【図面の簡単な説明】
【００２７】
【図１】折戸装置の正面図。
【図２】折戸装置の横断面図。
【図３】図２のＡ−Ａ断面拡大図。
【図４】本発明に係るフリーストッパー装置の実施例。
【図５】親ドア側のピニオンと上レール側のラックの噛み合い状態。
【図６】ツーウェイクラッチの動作。
【図７】本発明に係るフリーストッパー装置の他の実施例。
【図８】一般的な折戸の開閉動作。
【符号の説明】
【００２８】
１  親ドア
２  子ドア
３  フリーストッパー装置
４  ハンドル
５  ロックツマミ
６  軸
７  上桟
８  上レール
９  吊車
10  吊軸
11  ブラケット
12  ピニオン
13  ギア
14  ギア
15  ツーウェイクラッチ
16  ラック
17  連結部
18  軸
19  上レール
【図１】
2008082137.tif 000003
【図２】
2008082137.tif 000004
【図３】
2008082137.tif 000005
【図４】
2008082137.tif 000006
【図５】
2008082137.tif 000007
【図６】
2008082137.tif 000008
【図７】
2008082137.tif 000009
【図８】
2008082137.tif 000010